(57)【要約】【課題】電話番号等の個人データの利用を可能としながらも移動端末本体の小型化が図れるデータ転送装置を提供する。【解決手段】電話番号等の個人データを記憶したメモリカード４を着脱自在に装着可能であって、そのメモリカード４に記憶された個人データを移動端末２へ転送できるデータ転送装置３を設ける一方、データ転送装置３と着脱自在に接続可能であって、データ転送装置３から転送されるメモリカード４の個人データを取得できる移動端末２を設ける。データ転送装置３にメモリカード４を装着すると共に移動端末２を装着することで、移動端末２は、メモリカード４の個人データを使用して通信を行うことができる。これにより、電話番号等の個人データを記憶するメモリカード４を移動端末２に収容する必要がなくなるので、移動端末２の小型化が図れる。【選択図】      図２
2004221861.tif 000002
【特許請求の範囲】
【請求項１】
移動端末で使用する個人データを記憶するメモリを着脱可能に接続するメモリ接続手段と、前記移動端末を着脱可能に接続する端末接続手段と、前記メモリ接続手段と前記端末接続手段を介して前記移動端末と前記メモリとの間のデータ転送を仲介するデータ転送手段と、を具備することを特徴とするデータ転送装置。
【請求項２】
移動端末で使用する個人データを記憶するメモリを着脱自在に接続するメモリ接続手段と、複数の移動端末を接続可能とするとともに、接続された全ての移動端末のいずれか１つを択一的に選択する端末接続手段と、前記メモリ接続手段と前記端末接続手段を介して前記移動端末と前記メモリとの間のデータ転送を仲介するデータ転送手段と、を具備することを特徴とするデータ転送装置。
【請求項３】
移動端末で使用する個人データを記憶するメモリを着脱可能に接続するメモリ接続手段と、移動端末と無線通信を行う無線通信手段と、前記無線通信手段を用いて前記移動端末と前記メモリとの間のデータ転送を仲介するデータ転送手段と、を具備することを特徴とするデータ転送装置。
【請求項４】
移動端末で使用する個人データを記憶したメモリを装着可能とするデータ転送装置と無線通信を行う無線通信手段と、前記無線通信手段を用いて前記データ転送装置との間で前記個人データの転送を行うデータ転送手段と、を具備することを特徴とする移動端末。
【請求項５】
請求項１から請求項３のいずれかに記載のデータ転送装置と、請求項４に記載の移動端末と、を具備することを特徴とする移動端末システム。
【請求項６】
移動端末と別体となったデータ転送装置に前記移動端末で使用される個人データが書き込まれたメモリを装着し、このメモリに書き込まれた個人データを前記データ転送装置から前記移動端末へ転送することを特徴とするデータ転送方法。
【発明の詳細な説明】
【０００１】
【発明の属する技術分野】
本発明は、携帯電話やＰＨＳ（Ｐｅｒｓｏｎａｌ  Ｈａｎｄｙ−Ｐｈｏｎｅ  Ｓｙｓｔｅｍ）等の移動端末に用いて好適なデータ転送装置及びデータ転送方法に関する。
【０００２】
【従来の技術】
従来、携帯電話やＰＨＳ等の移動端末には、電話番号等の個人データを記憶させるためのメモリ（例えばメモリカード）を着脱可能にしたものがある（例えば、特許文献１参照）。この種の移動端末では、メモリに記憶させた個人データを用いて通信を行えることができる。
【０００３】
【特許文献１】
特開平１０−３２６３１号公報（第３頁、図２）
【０００４】
【発明が解決しようとする課題】
しかしながら、従来の移動端末においては、次のような問題がある。
すなわち、端末本体に着脱可能なメモリに個人データを記憶させることで、機種変更した場合や他の通信端末でも個人データの再利用が可能となる利点があるものの、端末本体にメモリを収容する領域を設けなければならない点で端末本体の小型化が困難である。また、１台の移動端末のみで使用する場合にはメモリを外す必要が殆どなく収容した状態にするので、そのような場合には目だった恩恵は得られない。
【０００５】
本発明は係る点に鑑みてなされたものであり、電話番号等の個人データの利用を可能としながらも移動端末本体の小型化が図れるデータ転送装置及びデータ転送方法を提供することを目的する。
【０００６】
【課題を解決するための手段】
請求項１に係る発明のデータ転送装置は、移動端末で使用する個人データを記憶するメモリを着脱可能に接続するメモリ接続手段と、前記移動端末を着脱可能に接続する端末接続手段と、前記メモリ接続手段と前記端末接続手段を介して、前記移動端末と前記メモリとの間のデータ転送を仲介するデータ転送手段と、を具備する構成を採る。
【０００７】
この構成によれば、電話番号等の個人データを記憶させるためのメモリを移動端末に収容する必要がなくなるので、移動端末本体の小型化が可能となる。
【０００８】
請求項２に係る発明のデータ転送装置は、移動端末で使用する個人データを記憶するメモリを着脱自在に接続するメモリ接続手段と、複数の移動端末を接続可能とするとともに、接続された全ての移動端末のいずれか１つを択一的に選択する端末接続手段と、前記メモリ接続手段と前記端末接続手段を介して、前記移動端末と前記メモリとの間のデータ転送を仲介するデータ転送手段と、を具備する構成を採る。
【０００９】
この構成によれば、電話番号等の個人データを必要とする複数の移動端末それぞれに対して当該データの転送が可能となるので、各移動端末に対するメモリの付け替え作業を省くことができる。
【００１０】
請求項３に係る発明のデータ転送装置は、移動端末で使用する個人データを記憶するメモリを着脱可能に接続するメモリ接続手段と、移動端末と無線通信を行う無線通信手段と、前記無線通信手段を用いて前記移動端末と前記メモリとの間のデータ転送を仲介するデータ転送手段と、を具備する構成を採る。
【００１１】
この構成によれば、メモリに記憶された電話番号等の個人データを無線にて移動端末へ転送するので、当該データを必要とする移動端末を電波の届く範囲内に持ってくるだけで、その移動端末に個人データを送ることができる。これにより、移動端末にメモリを収容するための領域を設けなくてもよいので、その分、移動端末本体の小型化が可能となる。また、個人データの転送に無線を利用することで移動端末をデータ転送装置に接続する手間が省ける。なお、移動端末に対して個人データ送受信専用の無線送受信手段を設けることで、移動端末は個人データ転送中でも通話を行うことができる。
【００１２】
請求項４に係る発明の移動端末は、移動端末で使用する個人データを記憶したメモリを装着可能とするデータ転送装置と無線通信を行う無線通信手段と、前記無線通信手段を用いて前記データ転送装置との間で前記個人データの転送を行うデータ転送手段と、を具備する構成を採る。
【００１３】
この構成によれば、電話番号等の個人データを記憶するメモリを装着可能とするデータ転送装置から当該メモリに記憶された個人データを読み込むことができるので、当該メモリを移動端末本体に収容する必要がなくなるので、移動端末端末の小型化が可能となる。
【００１４】
請求項５に係る発明の移動端末システムは、請求項１から請求項３のいずれかに係る発明のデータ転送装置と、請求項４に係る発明の移動端末と、を具備する構成を採る。
【００１５】
この構成によれば、電話番号等の個人データを記憶するメモリを移動端末本体に収容する必要がなくなるので、移動端末端末の小型化が可能となる。
【００１６】
請求項６に係る発明のデータ転送方法は、移動端末と別体となったデータ転送装置に前記移動端末で使用される個人データが書き込まれたメモリを装着し、このメモリに書き込まれた個人データを前記データ転送装置から前記移動端末へ転送する。
【００１７】
この方法によれば、電話番号等の個人データを記憶するメモリを移動端末本体に収容する必要がなくなるので、移動端末端末の小型化が図れる。
【００１８】
【発明の実施の形態】
本発明の骨子は、携帯電話やＰＨＳ等の移動端末と別個に、移動端末で使用する電話番号等の個人データを記憶したメモリを装着できるデータ転送装置を設け、移動端末がこのデータ転送装置を介してメモリに記憶された個人データを利用できるようにすることで、個人データを記憶するメモリを移動端末本体に収容する必要をなくして移動端末本体の小型化を図ることである。
【００１９】
以下、本発明の実施の形態について、図面を参照して詳細に説明する。
【００２０】
（実施の形態１）
図１は、本発明の実施の形態１に係る移動端末システムの構成を示すブロック図である。
この図において、本実施の形態に係る移動端末システム１は、携帯電話やＰＨＳ等の移動端末２と、この移動端末２に電話番号等の個人データを転送するデータ転送装置３と、電話番号等の個人データを保存するメモリカード４とを備えて構成される。
【００２１】
データ転送装置３は、移動端末２及びメモリカード４夫々を着脱自在に接続し、それらの間におけるデータ転送の仲介を行う。すなわち、移動端末２より個人データの要求があると、メモリカード４に記憶されている個人データを読み出して移動端末２へ転送する。移動端末２は、データ転送装置３を介してメモリカード４に記憶されている個人データを取得して通信に利用する。すなわち、個人データが電話番号の場合、メモリカード４より目的とする電話番号を取得してその番号で発呼する。
【００２２】
図２は、移動端末２とデータ転送装置３夫々の構成を示すブロック図である。この図において、移動端末２は、アンテナ１０と、送受信部１１と、制御部１２と、接続部１３と、識別部１４と、内部メモリ１５と、呼出部１６とを備えている。
【００２３】
送受信部１１は、アンテナ１０で捉えられた基地局（図示略）からの無線信号を復調してベースバンド信号を出力し、また制御部１２より入力される送信データであるベースバンド信号を変調して無線信号に変換し、アンテナ１０より放射する。制御部１２は、図示せぬマイクロコンピュータを有して構成され、装置の各部を制御する。接続部１３は、データ転送装置３を接続する。識別部１４は、移動端末２の装着を識別してその結果を制御部１２に通知する。
【００２４】
内部メモリ１５は、移動端末２に接続されたメモリカード４に記憶された電話番号等の個人データを記憶する。呼出部１６は、メモリカード４からデータの読み出しを指示するものである。ユーザが呼出部１６にて呼び出し操作を行うことでその指示がデータ転送装置３の制御部２１に与えられ、その指示に従って制御部２１がメモリカード４から個人データを読み出して移動端末２へ転送する。
【００２５】
次に、データ転送装置３の構成について説明する。
図２において、データ転送装置３は、移動端末２を接続するための端末接続部２０と、マクロコンピュータを有して構成され、装置各部を制御する制御部２１と、メモリカード４を接続するためのメモリカード接続部２２と、メモリカード４の装着状態を識別し、その結果を制御部２１に通知する識別部２３とを備えている。
【００２６】
次に、データ転送装置３の動作について、図３に示すフローチャートを参照して説明する。
【００２７】
まず、装置本体に個人データが記憶されたがメモリカード４が装着されたかどうかを判定する（ステップ３００）。メモリカード４が装着されていなければ無線通信不能として、通信可ランプ２５が点灯していればそれを消灯し、代わりに通信不可ランプ２４を点灯させる（ステップ３０１）。通信不可ランプ２４を点灯させた後、ステップ３００に戻る。すなわち、メモリカード４が装着されていない間は継続して通信不可ランプ２４を点灯させる。
【００２８】
一方、メモリカード４が装着されると、通信不可ランプ２４を消灯させ、通信可ランプ２５を点灯させる（ステップ３０２）。次に、移動端末２が接続されたかどうかを判定し（ステップ３０３）、移動端末２が接続されていなければ、そのままステップ３００に戻る。これに対し、移動端末２が接続されると、メモリカード４から個人データを読み出して（ステップ３０４）、それを移動端末２へ転送する（ステップ３０５）。これにより、移動端末２は、取得した個人データでの通信が可能となる。個人データの転送を行った後、移動端末２が外されたかどうかを判定し（ステップ３０６）、移動端末２が外されなければステップ３０６を繰り返し、移動端末２が外されればステップ３００に戻る。
【００２９】
このように、メモリカード４が接続されていない間は通信そのものができないので、その旨をユーザに知らせるために通信不可ランプ２４を点灯させる。メモリカード４が接続された場合は、通信が可能となるので、その旨をユーザに知らせるために通信不可ランプ２４を消灯させ、代わりに通信可ランプ２５を点灯させる。そして、メモリカード４が装着された状態で、移動端末２が接続されると、メモリカード４から個人データの読み込みが行われ、移動端末２への転送が行われる。これにより、転送されてきた個人データを元に通話が可能となる。その後、移動端末２が外されない限り通信可能状態が継続し、通信可ランプ２５が点灯し続ける。そして、移動端末２が外されると、メモリカード４の装着状態の判定が行われ、メモリカード４が外された場合には通信可ランプ２５が消灯し、通信不可ランプ２４が点灯する。
【００３０】
このように、本実施の形態に係る移動端末システムによれば、データ転送装置３にメモリカード４が接続された状態で更に移動端末２が接続されると、データ転送装置３は、メモリカード４に記憶された個人データを読み出して移動端末２へ転送するので、移動端末２は、電話番号等の個人データを必要とするときにデータ転送装置３に接続するだけで、メモリカード４に記憶された電話番号等の個人データが得られる。したがって、着脱できるメモリカード４を移動端末２に収容する必要がなくなるので、その分、移動端末２の小型化が可能となる。
【００３１】
なお、移動端末２がメモリカード４に記憶された個人データを使用して通信を行う場合について説明したが、移動端末２がその個人データを内部メモリ１５に記憶させることで、移動端末２をデータ転送装置３から取り外しても移動端末２単体で通信を行うことも可能である。但し、この内部メモリ１５の容量を小さくすればするほど小型化できるので、個人データを内部メモリ１５に記憶させる必要がなければ、内部メモリ１５を省くことも可能であり、その場合には更なる小型化が可能となる。
【００３２】
また、上記実施の形態のデータ転送装置３では、一度に１台しか移動端末２を接続できなかったが、同時に複数の移動端末２−１、２−２、…、２−Ｎを接続できるようにしても良い。この場合、複数の移動端末２−１、２−２、…、２−Ｎのうちの１を択一的に選択できる切替スイッチ（図示略）を設けて、１つずつ切り替えることで、全ての移動端末２−１、２−２、…、２−Ｎに対して個人データの転送が可能となる。
【００３３】
（実施の形態２）
図４は、本発明の実施の形態２に係る移動端末システムの構成を示すブロック図である。なお、この図において、前述した図１と共通する部分に同一の符号を付けてその説明を省略する。
【００３４】
本実施の形態に係る移動端末システムは、無線を利用して移動端末２Ａとデータ転送装置３Ａとの接続を行うようにした点が、上述した実施の形態１に係る移動端末システムと相違する。したがって、本実施の形態に係る移動端末システムの移動端末２Ａは、実施の形態１に係る移動端末システムの移動端末２の接続部１３に替わって小電力無線送受信部１７を有し、本実施の形態に係る移動端末システムのデータ転送装置３Ａは、実施の形態１に係る移動端末システムのデータ転送装置３の端末接続部２０に替わって小電力無線送受信部２６を有している。また、小電力無線送受信部１７にはアンテナ１８が接続され、小電力無線送受信部２６にはアンテナ２７が接続される。
【００３５】
なお、小電力無線送受信部１７及び２６で使用する周波数並びに電波形式は、移動端末２Ａが本来通話に使用するものと異なるものとする。このようにすることで、移動端末２Ａはデータ転送中でも着呼を受け付けることが可能となる。すなわち、データ転送中でも通話が可能となる。
【００３６】
このように、本実施の形態に係る移動端末システムによれば、無線を利用してメモリカード４に記憶された電話番号等の個人データを移動端末２Ａへ転送するので、移動端末２Ａは電話番号等の個人データを必要とするときに、データ転送装置３Ａの電波の届く範囲内に持ってくるだけで、当該データを得ることができる。
【００３７】
したがって、着脱できるメモリカード４を移動端末２Ａに収容する必要がなくなるので、その分、移動端末２Ａの小型化が可能となる。また、移動端末２Ａをデータ転送装置３Ａに接続する手間が省けるので、利便性が向上する。また、データ転送装置３Ａと移動端末２Ａと無線で接続するので、複数の移動端末２Ａ−１、２Ａ−２、…、２Ａ−Ｎに対しても極めて容易にデータの転送を行うことができる。
【００３８】
【発明の効果】
以上説明したように、本発明によれば、着脱できるメモリを移動端末本体に装着する必要がなくなるので、メモリを収容する領域を省くことができ、移動端末端末の小型化が図れる。
【図面の簡単な説明】
【図１】本発明の実施の形態１に係る移動端末システムの概略構成を示すブロック図
【図２】本発明の実施の形態１に係る移動端末システムの移動端末及びデータ転送装置の構成を示すブロック図
【図３】本発明の実施の形態１に係る移動端末システムの動作を説明するためのフローチャート
【図４】本発明の実施の形態２に係る移動端末システムの移動端末及びデータ転送装置の構成を示すブロック図
【符号の説明】
１  移動端末システム
２、２Ａ  移動端末
３、３Ａ  データ転送装置
４  メモリカード
１０、１８、２７  アンテナ
１１  送受信部
１２、２１  制御部
１３  接続部
１４、２３  識別部
１５  内部メモリ
１６  呼出部
１７、２６  小電力無線送受信部
２０  端末接続部
２２  メモリカード接続部
２４  通信不可ランプ
２５  通信可ランプ
【図１】
2004221861.tif 000003
【図２】
2004221861.tif 000004
【図３】
2004221861.tif 000005
【図４】
2004221861.tif 000006